(57)【要約】      （修正有）【課題】軽量で組み立て及び分解・折り畳みが容易で、不使用時は嵩張らずに保管に便利な緊急時用飲料水の貯水及び給水槽を提供する。【解決手段】八角形又は十六角形の筒形本体１の各面の底縁に内向きに折り曲げる支受片１１を一体に設ける。上蓋２と底蓋３の各辺に立上がり片を成形する。立上がり片とほぼ同じ高さの折返し片３２を形成し、一辺おきの立上がり片の左右両側に設けた差込突起３３を隣接する立ち上がり片３２と折返し片の間に差込んで底蓋３を成形する。筒形本体１の口金通し孔８と底蓋３に設けた凹部９を位置合わせする。筒形本体１に収納した貯水袋４の下部側面に設けてある開閉コック付きの注水兼給水口金を口金通し孔と底蓋３に設けた凹部９に配置する。飲料水の水量を確認するための覗き窓を筒形本体１の多角側面の上下位置に設ける。【選択図】図１
0003182085.tif 000002
【実用新案登録請求の範囲】
【請求項１】
複数層の段ボールで八角形又は十六角形を成す多角の筒形本体(1)を成形し、その各面の底部に内向きに折り曲げる支受片(11)を一体に設け、当該筒形本体の上下開口を塞ぐために上蓋(2)と底蓋(3)の各辺に立上がり片(21)を成形すると共に、当該立上がり片とほぼ同じ高さの折返し片(22)を形成して一辺おきに立上がり片の左右両側に差込突起(33)を設け、これを隣接する立ち上がり片(31)と折返し片(32)の間に差込んで底蓋(3)を成形して筒形本体の底部を差し込み、筒形本体(1)の対向二辺の下部に口金通し孔(8)と底蓋(3)の立上がり片(31)の上縁辺に切欠き凹部(9)をそれぞれ設けてこれらを位置合わせし、筒形本体(1)に収納した貯水袋(4)の下部側面に設けてある開閉コック(7)を具備する注水兼給水口金(6)を上記の切欠き凹部(9)に配置し、当該貯水袋(4)内の飲料水の収容水量を確認するための覗き窓(10)を多角の筒形本体(1)の一面又は複数面の上部と下部に形成したことを特徴とする災害等の緊急時用飲料水の貯水及び給水槽。
【請求項２】
八角形又は十六角形その他の多角形を成す筒形本体(1)を成形する２枚一対の本体シート(1′)を重ね合わせてその左右両側縁辺の綴じ代(11)を重ねて固着し、且つ筒形本体(1)の開口縁辺に防水部材(14)を被着し、本体シート(1′)・上下の蓋体シート(2′)・(3′)の表面に撥水加工を施した請求項1記載の災害等の緊急時用飲料水の貯水及び給水槽。
【請求項３】
八角形又は十六角形その他の多角形を成す筒形本体(1)を成形する２枚一対以上の本体シート(1′)を重ね合わせてその左右両側縁辺の綴じ代(11)を重ねて固着し、且つ筒形本体(1)の開口縁辺に防水部材(14)を被着し、本体シート(1′)・上下の蓋体シート(2′)・(3′)の表面に撥水加工を施した災害等の緊急時用飲料水の貯水及び給水槽用段ボール資材。
【考案の詳細な説明】
【技術分野】
【０００１】
本考案は、災害等の緊急時用飲料水の貯水及び給水槽またはその貯水及び給水槽用段ボール資材に関するもので、軽量で組み立て及び分解・折り畳みが容易で輸送・設置がし易く、使用しないときは嵩張らずに管理保管に便利な構造にし、しかも低コストで得られるようにしたものである。
【背景技術】
【０００２】
一般に、大きな地震が発生すると、ライフラインの水道、電気、ガス等が遮断されて生活機能が失われる。そのような場合、特に飲料水の確保が必要不可欠になる。
【０００３】
災害時における飲料水の確保については、従来から様々な技術が開示されている。その中でも１０トン以上の地下埋設型や２〜３トンの地上設置の大型のポリタンクや、２〜３トンの給水車からの直接配給を除く、１トン程度の飲料水が貯水できるポリエチレン製の袋体を用い、これを保持する槽を比較的小規模ながら、緊急時に迅速に組み立てて貯水し、災害現場に設置して被災者に安全迅速に給水できる貯水槽が望まれる。
【０００４】
従来においても、ポリエチレン等のプラスチック系の貯水袋をプラスチック又は木材や金属製の枠と側板等で保持する構造のものが知られている。
【先行技術文献】
【特許文献】
【０００５】
【特許文献１】特開２００５−２８９４６４号公報
【特許文献２】特開２００５−２８９４５２号公報
【特許文献３】登録第３１５９３０４号の登録実用新案公報
【考案の概要】
【考案が解決しようとする課題】
【０００６】
上記特許文献１・２の発明は、いずれも外枠の前後左右の四方を断熱ボードのような側板で囲み外枠内にコンテナ袋体の底部に設けられている排出管のスペースを確保しながら袋体底部を支受する底板を設けてある。
【０００７】
これによって、貯水した袋体を確実に支受することが可能となるが、袋体に貯水した圧力を四方の側板で受けるため、相当な強度を有する側板を必要とし、且つ折り曲げ可能にするためにヒンジ金具を用い、さらには、下部にフォークリフト用のパレットも具備されている。そのため、全体の重量が重くなり、部品点数が多く、全体が嵩張ると共に、不要時の管理保管にスペースを要し、且つ製作コストが高くつくと言う課題があった。
【０００８】
また、特許文献３は、本願出願人の考案に係るものであり、段ボールで八角形の筒形本体を成形することで、軽量で組み立て及び分解・折り畳みが容易で輸送・設置がし易く、使用しないときは嵩張らずに管理保管に便利な構造にし、しかも低コストで得られるようにしたものである。
他方、その筒形本体を八角形以上で上限十六角形までの多角側面にすることによって、より円形側面になると共に、筒体内に収容する貯水袋との隙間がより少なくなることが可能になる。
また、多角の筒形本体側面の上部だけに覗き窓が設けられているが、給水によって、水量が減少して空になる状態を適確に見極めることができれば、貯水袋への飲料水の良好な充填タイミングが図れて具合が良い。
【課題を解決するための手段】
【０００９】
そこで、本考案は組立てが簡単で、仮設応急の給水に適し、且つ飲料水を貯水した貯水袋の圧力を四角形の２倍又は４倍の多角形側板で支受し、使用しないときは、できる限り扁平に折り畳めるようにして、きわめてコンパクトにまとめて管理保管できるようにすることを目的とする。
【００１０】
上記の目的を達成するために本考案の第１は、災害等の緊急時用飲料水の貯水及び給水槽において、複数層の段ボールで八角形又は十六角形を成す筒形本体を成形し、その各面の底部に内向きに折り曲げる支受片を一体に設け、当該筒形本体の上下開口を塞ぐために上蓋と底蓋の各辺に立上がり片を成形すると共に、当該立上がり片とほぼ同じ高さの折返し片を形成し、一辺おきの立上がり片の左右両側に差込突起を設け、これを隣接する立ち上がり片と折返し片の間に差込んで底蓋を成形して筒形本体の底部を嵌め込み、筒形本体の一面又は対向二面の下部に口金通し孔を、底蓋の上縁辺に口金通し孔と切欠き凹部をそれぞれ設けてこれらを位置合わせし、筒形本体に収納した貯水袋の下部側面に設けてあるコックを具備する注水兼給水口金を上記の切欠き凹部に配置し、当該貯水袋の飲料水の収容水量を確認するための覗き窓を筒形本体の一面又は対向二面の上部に形成し、筒形本体に収容する貯水袋への注水完了後に上蓋を筒形本体の上部開口部に被せるようにしたものである。
【００１１】
本考案の第２は、第１の考案に係る災害等の緊急時用飲料水の貯水及び給水槽において、多角形を成す筒形本体及び上下の蓋体シートに撥水加工を施すと共に、筒形本体を２枚一対又は３枚以上で一組にした本体シートを成形し、その左右両側縦辺の綴じ代を重ね、その綴じ代をステープラーで止着したものである。
【００１２】
本考案の第３は、災害等の緊急時用飲料水の貯水及び給水槽用段ボール資材において、八角形又は十六角形その他の多角形を成す筒形本体を成形する２枚一対以上の本体シートを重ね合わせてその左右両側縁辺の綴じ代を重ねて固着し、且つ筒形本体の開口縁辺に防水部材を被着し、本体シート・上下の蓋体シートの表面に撥水加工を施したものである。
【考案の効果】
【００１３】
本考案は上記の構成であるから、筒形本体及び上蓋と底蓋が共に紙製段ボールからなり、全体が軽量でありながら、筒形本体は八角形のほか、十六角形その他の多角形を成すものであることと、貯水袋の底部支受片とにより、当該筒形本体内に収納した貯水袋に１トンもある大量の飲料水を貯水しても、その水圧を多角面で分散して受けることになり、紙製であっても安定確実な耐圧効果が得られる。しかも紙製段ボールであるから外部気温に左右されずに一定の水温が保持される。
【００１４】
また、筒形本体を八角形以上の多角にすることによって、より円形に近くなると共に、その内部に収容する貯水袋と多角内面との隙間が少なくなり、水圧の分散効果も向上する。
そして、多角形の筒形本体の側面の上下位置に覗き窓が設けられているから、貯水袋に満杯の注入状態が上部の覗き窓で確認でき、また、給水により貯水袋からの飲料水の減り具合が下部の覗き窓で確認できるから、飲料水が空になる前に補充の飲料水を貯水袋に充填するタイミングの目安となる。
【００１５】
また、筒形本体の各辺底部に内向きに設けた支受片により、飲料水の入った貯水袋の底部を平均して支受し、貯水袋の横方向に加わる偏荷重に対して耐圧効果が増大し、且つ底蓋の立上がり片にかかる偏荷重を軽減する。
【００１６】
そして、正多角形の筒形本体は、対向角の折り線から二つ折りに折り畳んで重ねることにより、ヒンジ金具等を使わなくても扁平な形状が得られる。また、上蓋及び底蓋共に正角形の立上がり片と折返し片を延ばして展開することによって単一枚の扁平のシート体となり、これらを積み重ねても嵩張らずコンパクトに倉庫や物置小屋にスペースを取らずにコンパクトに管理保管することができる。
【００１７】
正角形の筒形本体の上部開口縁辺に横断面凹溝形の補強兼防水部材を被着したことにより、複数構造の紙製八角形のほか、十六角形その他八角以上の多角形を成す筒体本体の開口縁辺端面から雨水等水分の浸入を確実に防ぐ効果がある。
【００１８】
さらに、本考案に係る緊急時用飲料水の貯水及び給水槽は、組み立て、設置、注水、給水の準備が比較的短時間のうちに行えて効率的であり、且つこの種の給水槽にあっては、段ボール素材の使用により軽量の割に強靱であると共にこの種の給水装置としては安価に得ることができる。
【図面の簡単な説明】
【００１９】
【図１】本考案に係るダンボール資材を用いた八角形の飲料水の貯水及び給水槽の一部縦断正面図である。
【図２】図１の一部縦断側面図である。
【図３】図１の一部の拡大縦断面図である。
【図４】図１の開蓋状態の平面図である。
【図５】図４に示す底蓋立上がり片における角部の接合状態を示す拡大平面図である。
【図６】八角形の筒形本体を成形する２枚一対の本体シートの１枚を示す正面図である。
【図７】図６の平面図である。
【図８】２枚一対の本体シートの正面図である。
【図９】上蓋の展開平面図である。
【図１０】底蓋の展開平面図である。
【図１１】図１の他の実施例である十六角形の飲料水の貯水及び給水槽の一部縦断正面図である。
【図１２】図１１の１２−１２線に沿う断面図である。
【図１３】図１１の十六角形の筒形本体を成形する２枚一対の本体シートの１枚を示す正面図である。
【図１４】図１１の十六角形を成す底蓋シートの平面図であ。
【図１５】図１の使用状態を示す斜視図である。
【考案を実施するための形態】
【００２０】
本考は上記の構成において、実施する形態は次のとおりである。
１は断面が複数層の横長の紙製段ボールで成形した略正八角形又は十六角形その他の多角形を成す筒形本体であり、図示例は、左右両側縁辺に綴じ代を有し、且つ略等間隔に複数の折り線１２をつけて四面体を形成してある２枚の本体シート１′・１″を折り線１２の有する面を向き合わせて重ね合わせ、その左右両側縁辺の綴じ代をステープラーＳで止着する。当該筒形本体１の底部の各辺に形成した折り線によって内向きに折り曲げて貯水袋の底部支受片１１を設けてある。なお、筒形本体の表面には撥水加工を施してある。当該筒形本体１は、本体シートを２枚一対（１′・１″）で成形するものを示すが、十六角形の場合は、３枚以上の本体シートで組み立てることもできる。
【００２１】
２は筒形本体１の上部開口を塞ぐ上蓋であり、単一層の紙製段ボールの蓋体シート２′とその八角形の各辺に立上がり片２１と折返し片２２を一体に設け、一辺おきの立上がり片に差込突起２３を設け、これを隣接する立上がり片２１と折返し片２２との間に差し込む構成になっている。
【００２２】
３は筒形本体の底部開口を塞ぐ底蓋であり、上蓋２と同様に単一層の紙製段ボールの蓋体シート３′とその八角形の各辺に立上がり片３１と折返し片３２を一体に設け、一辺おきの立上がり片３１に差込突起３３を設け、これを隣接する立上がり片３１と折返し片３２との間に差し込む構成になっている。
上記の多角形の筒形本体１と、上蓋２と、底蓋３とで貯水及び給水槽の段ボール資材を構成してある。
【００２３】
４は透明のポリエチレンフィルム製の貯水袋であり、その底部側面に開口５を設け、その開閉コック７の付いている注水兼給水口金６が連結されている。
【００２４】
８は八角形又は十六角形の多角を成す筒形本体の下部をくり抜いて形成した口金通し孔、９は底蓋の立上がり片の対向二面の上端を切り欠いて形成した凹部であり、底蓋３を筒形本体１の底部に被せるときに口金通し孔８・切欠き凹部９を位置合わせして貯水袋４のコックの配置と適合するようにする。
【００２５】
１０は筒形本体１の対向二面の上蓋近くの上部と底蓋近くの下部に設けた覗き窓であり、貯水袋４に注入する飲料水の水量を確認するためのものであり、縦長スリット状に刳り抜いた孔から貯水袋４の飲料水の量を視認して１トンの水量の満杯からの減少状態や、水量の減少により空に近い状態までの変化を確認できるようになっている。上記の口金通し孔８と覗き窓１０は２枚の本体シート１′・１″を重ね合わせて抜き型プレス（図示省略）で打ち抜き加工し、組み立てるときは、左右対象に向かい合わせる。
【００２６】
１１は八角形又は十六角形の筒形本体１を成形するための２枚一対の本体シート１′を左右対称に重ね合わせ、その左右両側縁辺に形成した止着用綴じ代、１２は本体シートに型押しプレス等によって形成した折り線、１３は多角の筒形本体１の底部設けた折返し片を内向きに折り曲げるための折り線、１３′は上蓋２及び底蓋３に設けた立上がり片を折曲げるための折り線、１４は筒形本体１の開口縁辺に被着した防水部材であり、図示例は断面が凹形を成す樹脂成形にしてある。
【００２７】
１５は筒形本体内に収容する貯水袋４の開口５に開閉コック７付きの注水兼給水口金具６に基端を接続する給水用ホース、１６は給水ホースの先端を接続する給水用スタンド、１７は給水用スタンドに設置されている複数個の蛇口を示す。図中、１８は必要に応じて給水槽全体を被せる透明の防水シートである。
【実施例】
【００２８】
「具体的な組立て例」
（１）  単一層の段ボールからなる底蓋シート３′（図８）の八角形又は十六角形の各縁辺の立上がり片３１を直角に立ち上げた後、折返し片３２を内向きに二つ折りに折返しておく。
（２）  各立上がり片の一辺おきに設けてある差込突起３３を隣接する立上がり片３１と折返し片３２との間に差し込んで八角形の外周に立上がり片を有する底蓋３が成形される。その立上がり片３１の一辺には切欠凹部９が形成されている。
（３）  次に、八角形又は十六角形を形成する３本の折り線を有する四面体同士を対面配置してその両側縦縁辺をステープラーで結合する（図５）。
（４）  この状態から各面を折り線から拡開して底部各片１１を内向きに直角に折曲げた後、当該底部を底蓋３の八角形又は十六角形の立上がり片３１の内側に嵌め込むと正八角形又は正十六角形の筒形本体が成形される。この筒形本体１の口金通し孔８を底蓋３の切欠き凹部９に位置合わせしておく。
（５）  また、単一層の段ボールからなる上蓋シート２′（図７）で八角形の各縁辺の立上がり片２１を直角に立ち上げた後、折返し片２２を内向きに二つ折りに折返しておく。
（６）  各立上がり片の一辺おきに設けてある差込突起２３を隣接する立上がり片２１と折返し片２２との間に差し込んで八角形又は十六角形の外周に立上がり片２１を有する上蓋２が成形される。これを筒形本体の上部開口部に上蓋２として被せる。
（７）  ポリエチレンフィルム製の貯水袋４を筒形本体１内に収納して注水兼給水口金６を口金通し孔８・切欠き凹部９に配置し、給水用の開閉コック７を当該凹部の外側に位置させておく。
（８）  上記の八角形又は十六角形の筒形本体１及び上蓋２、底蓋３はいずれも図９、図１０のように展開して単一枚のシート状にし、且つ貯水袋４も折り畳んで保管しておく。
【００２９】
「設置・注水・給水工程例」
（１）  災害現地等の所定の場所において、仮設台Ｂ上に設置した積載面が網目形状になっていて水はけのよいパレットＰ上に底蓋３を載置する。
（２）  貯水袋４を、折り畳み状態から伸ばして展開すると共に底部側面に設けてある注水兼給水口金６を切欠き凹部９に位置合わせして底蓋の八角形又は十六角形の立上がり片２１内にセットする。
（３）  八角形又は十六角形に組み立てた多角を成す筒形本体の１の底部を、その口金通し孔８を切欠き凹部９に合わせ、貯水袋４を覆うようにして底蓋３の八角形又は十六角形の立上がり片２１内に嵌め込む。
（４）  一方、所定場所に到着した給水車の給水口５と貯水袋４の注水兼給水口金６にホースを接続してコック７を開いて貯水袋４に所定量（図示例で１トン）を給水する。
（５）  給水完了後、コック７を閉止すると共に給水車の給水ホースを注水口兼吸水口金６から外す。
（６）  上記の注水兼吸水口金６と複数個の蛇口１７を具備してある給水スタンド１６に給水ホース１５を接続する。
（７）  コック７を開くと給水ホース１５を通じ、給水スタンド１６の複数の蛇口１７から給水できるようになる(図９)。
（８）  なお、多角の筒形本体１等に撥水加工をしてあるが、雨天に備えて給水槽を袋状のビニールシート１８で覆って防水対策を施すことを可とする。
【産業上の利用可能性】
【００３０】
本考案は、大地震等の災害に伴う緊急時における飲料水の確保と供給に適するものであるが、河川敷や海岸、公園等の野外での各種イベント会場に仮設置して飲料水の提供にも適し、また、地域における防火用水の確保にも適するものであり、用途の拡大が図れる。
【符号の説明】
【００３１】
１……八角形又は十六形の多角の筒形本体
２……上蓋
３……底蓋
４……貯水袋
５……筒形本体側面の開口
６……注水兼給水口金
７……開閉コック
８……八角形又は十六角形の筒形本体の口金通し孔
９……底蓋の切欠き凹部
１０……覗き窓
１１……本体シートの綴じ代
１２……筒形本体の八角形又は十六角形用折り線
１３……筒形本体の下部支受片の内向き用折り線
１４……筒形本体の開口縁辺に被着した防水部材
１５……給水用ホース
１６……給水用スタンド
１７……蛇口
【図１】
0003182085.tif 000003
【図２】
0003182085.tif 000004
【図３】
0003182085.tif 000005
【図４】
0003182085.tif 000006
【図５】
0003182085.tif 000007
【図６】
0003182085.tif 000008
【図７】
0003182085.tif 000009
【図８】
0003182085.tif 000010
【図９】
0003182085.tif 000011
【図１０】
0003182085.tif 000012
【図１１】
0003182085.tif 000013
【図１２】
0003182085.tif 000014
【図１３】
0003182085.tif 000015
【図１４】
0003182085.tif 000016
【図１５】
0003182085.tif 000017